(57)【要約】【課題】釣竿先方部に装着する移動外ガイドを安定して保持固定できる装着固定構造の釣竿を提供する。【解決手段】釣竿の先方部に外ガイドを移動可能に設けた釣竿であって、該移動外ガイドの竿管１０への装着筒部Ｇ１Ｔ’の内周には合成樹脂材によるＮ個の凸条ＴＴ１，ＴＴ２，ＴＴ３と凹条ＴＫ１，ＴＫ２とを周方向に等ピッチで設け、竿管表面には移動外ガイドの受座Ｚ１を設け、該受座は竿管表面の筒状肉盛層と、該層の外周にＭ個の凸条ＺＴを等ピッチで設け、該凸条ＺＴは前記凹条ＴＫ１に入って両側部を挟まれて係合でき、ＭはＮの２以上の整数分の一であり、前記受座の前方部は後方部に比較して小径化されているよう構成する。【選択図】        図４
2006094738.tif 000002
【特許請求の範囲】
【請求項１】
釣竿の先方部に外ガイドを移動可能に設けた釣竿であって、
該移動外ガイドの竿管への装着筒部の内周には合成樹脂材によるＮ個の凸条と凹条とを周方向に等ピッチで設け、
竿管表面には移動外ガイドの受座を設け、該受座は竿管表面の筒状肉盛層と、該層の外周にＭ個の凸条を等ピッチで設け、該凸条は前記凹条に入って両側部を挟まれて係合でき、
ＭはＮの２以上の整数分の一であり、
前記受座の前方部は後方部に比較して小径化されている
ことを特徴とする移動外ガイド付き釣竿。
【請求項２】
釣竿の先方部の移動外ガイドの装着固定構造として、移動外ガイドとその受座の構造を請求項１に記載の構造とし、該移動外ガイドを第１種移動外ガイドと称し、
１個又は２個以上の前記第１種移動外ガイドの装着される最後部受座の後方側にのみ第２種移動外ガイド用の受座が１箇所又は２箇所以上設けられており、
該第２種移動外ガイドの竿管への装着筒部の内周にはＫ個の凸条と凹条とを周方向に等ピッチで設け、
前記第２種移動外ガイド用受座は、竿管表面の筒状肉盛層と、該層の外周に、前記第２種移動外ガイド装着筒部の凹条に入って係合できるＬ個の凸条を等ピッチで設け、
ＫはＬの２以上の整数分の一であり、
前記装着筒部のＫ個の各凸条の側面の頂部位置付近での径方向に対する傾斜角度は１０度〜５０度の範囲内であり、
前記第２種移動外ガイド用受座の各凸条の側面の頂部位置付近での径方向に対する傾斜角度は１０度〜５０度の範囲内であり、
前記第２種移動外ガイド用受座の前方部は後方部に比較して小径化されており、
第２種移動外ガイドを装着嵌合させた位置では、受座の凸条の中には、その頂部が装着筒部の凹条底面に当接しているものがあり、また、装着筒部の凸条の中には、その頂部が受座の凹条底面に当接しているものがある
ことを特徴とする移動外ガイド付き釣竿。
【請求項３】
前記第２種移動外ガイドとその受座における、凹凸条の数の大小関係が逆になっている請求項２記載の移動外ガイド付き釣竿。
【発明の詳細な説明】
【技術分野】
【０００１】
本発明は、移動可能な外付け釣糸ガイド（移動外ガイド）を設けた釣竿に関する。
【背景技術】
【０００２】
振出式のため、移動外ガイドを装着固定させる構造の例が、本出願人による下記特許文献１と２に開示されている。これらは、竿管に設けた受座の凹凸ピッチと移動外ガイドの装着筒部の凹凸ピッチを同じにし、筒部側凸条の頂部が受座側凹条の底面に当接、押圧することによる摩擦力で移動外ガイドを保持固定しようとするものである。
【特許文献１】特開２００４−８１０７９号公報
【特許文献２】特開２００４−８１０８０号公報
【発明の開示】
【発明が解決しようとする課題】
【０００３】
然しながら、受座側の凹条と、移動外ガイド筒部側の凸条との係合を横断面で見た場合、凸条側部は凹条との間に積極的に隙間を有するような形態に設定しており、単に、凸条の頂部が凹条の底面に当接する摩擦力だけの係合であるため、やはり不用意に回動し易い。特に釣竿先方部の移動外ガイドに対しては、竿が撓み変形しつつ、ガイドに挿通している釣糸から種々の方向（左右上下）に力を受けるため、回動させられ易い。また、ある程度径の大きな領域では、保持固定力を大きくすることのみ考えたのでは、固着という問題が生じて、移動外ガイドを外す（仕舞い時等に前方へ移動させる）ことができなくなる。
従って解決しようとする課題は、釣竿先方部に装着する移動外ガイドを安定して保持固定できる装着固定構造の釣竿を提供することである。
また、こうした種類の移動外ガイドを有しつつ、その後方領域には、固着を防止しつつ安定して保持固定できる他種類の移動外ガイドを有した合理的な釣竿を提供することである。
【課題を解決するための手段】
【０００４】
請求項１に係る発明では、釣竿の先方部に外ガイドを移動可能に設けた釣竿であって、該移動外ガイドの竿管への装着筒部の内周には合成樹脂材によるＮ個の凸条と凹条とを周方向に等ピッチで設け、竿管表面には移動外ガイドの受座を設け、該受座は竿管表面の筒状肉盛層と、該層の外周にＭ個の凸条を等ピッチで設け、該凸条は前記凹条に入って両側部を挟まれて係合でき、ＭはＮの２以上の整数分の一であり、前記受座の前方部は後方部に比較して小径化されていることを特徴とする移動外ガイド付き釣竿を提供する。
この合成樹脂としては、ナイロン、ＡＢＳ樹脂、ポリアセタール樹脂（ＰＯＭ樹脂）、ポリカーボネイト等がある。先方部とは、継ぎ竿の場合、穂先竿とは限らず、穂先領域というか、先部領域というか、撓み性の大きな領域を述べているに過ぎない。
【０００５】
請求項２に係る発明では、釣竿の先方部の移動外ガイド装着固定構造として、移動外ガイドとその受座の構造を請求項１に記載の構造とし、該移動外ガイドを第１種移動外ガイドと称し、１個又は２個以上の前記第１種移動外ガイドの装着される最後部受座の後方にのみ第２種移動外ガイド用の受座が１箇所又は２箇所以上設けられており、該第２種移動外ガイドの竿管への装着筒部の内周にはＫ個の凸条と凹条とを周方向に等ピッチで設け、前記第２種移動外ガイド用受座は、竿管表面の筒状肉盛層と、該層の外周に、前記第２種移動外ガイド装着筒部の凹条に入って係合できるＬ個の凸条を等ピッチで設け、ＫはＬの２以上の整数分の一であり、前記装着筒部のＫ個の各凸条の側面の頂部位置付近での径方向に対する傾斜角度は１０度〜５０度の範囲内であり、前記第２種移動外ガイド用受座の各凸条の側面の頂部位置付近での径方向に対する傾斜角度は１０度〜５０度の範囲内であり、前記第２種移動外ガイド用受座の前方部は後方部に比較して小径化されており、第２種移動外ガイドを装着嵌合させた位置では、受座の凸条の中には、その頂部が装着筒部の凹条底面に当接しているものがあり、また、装着筒部の凸条の中には、その頂部が受座の凹条底面に当接しているものがあることを特徴とする移動外ガイド付き釣竿を提供する。
また、請求項３に係る発明では、前記第２種移動外ガイドとその受座における、凹凸条の数の大小関係が逆になっている請求項２記載の移動外ガイド付き釣竿を提供する。
頂部位置付近とは、側面と頂部面との交点位置では角が丸められている場合があり、この丸め部を除外した位置の意味である。
【発明の効果】
【０００６】
本発明の請求項１では、受座の凸条数Ｍは移動外ガイドの装着筒部内周の凸条数Ｎの数分の一であるため、受座の或る凸条が筒部の或る凹条に入って該受座凸条の両側部を筒部の隣接した２つの凸条に挟ませて係合する際、その２つの各凸条が更に他側に隣接した凸条との間空間である凹条に対しては、侵入係合すべき台座側凸条が存在していない。このことと、筒部内周の凹凸条が合成樹脂材であるため変形し易いことにより、前記受座の或る凸条の侵入係合による前記隣接した２つの凸条の夫々を円周方向に押しやる様に変形できる。一方、受座の前方部は後方部に比較して小径化されているため、移動外ガイドの筒部はその小径前方部から容易に挿入でき、より後方側に位置させると装着固定できるが、この移動の際、筒部側凸条は前記隣接した２つの凸条を円周方向に変形させつつ装着固定される。即ち、後方に移動させるときつくなりつつ固定状態となる。このため、大きな撓み変形が繰り返される釣竿先方部であるにも拘わらず、移動外ガイドの固定状態が長く安定する。また、受座側凸条とこれを挟む位置の筒部側凸条とが互いに側面を当接させる構造のため、周方向への不用意な回動が防止でき、安定する。
【０００７】
請求項２では、固定外ガイドを除いた移動外ガイドとして、釣竿の先部領域には上記の（第１種）移動外ガイドと受座を採用し、その後方には、構造の異なる第２種の移動外ガイドとその受座を採用し、第１種の全体と第２種の全体は位置が前後に分離されている釣竿となる。
第２種の構造は、筒部側の凹条には、２つ以上の受座側凸条が侵入係合し、該筒部側凹条の左右両側の（隣接した）凸条の所定傾斜角度の側面と、前記２つ以上の受座側凸条の両端の所定傾斜角度の側面とが対面して不用意な回動防止となる。また、移動外ガイドの筒部を受座の小径前方部から後方に移動させて装着嵌合させた位置では、受座の凸条の中には、その頂部が筒部の凹条底面に当接しているものがあり、また、筒部の凸条の中には、その頂部が受座の凹条底面に当接しているものがあるため、この摩擦力によって移動外ガイドが前方に抜けることを防止できる。また、筒部側凸条の数は受座側凹条（凸条）の半分以下であるため、受座側凹条の半数以上が、その底面には筒部側凸条（の頂部）が当接しておらず、その分、摩擦力を低減できる。この第２種の構造（群）は、第１種の構造（群）の後ろ側、即ち、径の大き目の領域に配設するため、装着固定の摩擦力が大きくなり過ぎ、移動外ガイドを前方に抜く（移動させる）場合に、一般に固着して抜けない可能性が高い。従って、固着防止可能な様に、当接数（面積）を低減させている。
こうしてより撓み性の高い先部には第１種を採用し、その後方の撓み性が幾分小さくなると共に、より径の大きな領域には、第２種を採用するという合理的な装着構造の釣竿となる。
請求項３でも請求項２と同様な作用効果となる。
【発明を実施するための最良の形態】
【０００８】
以下、本発明を図面を用いて詳細に説明する。図１は、本発明に係る外ガイド付き振出式釣竿の側面図、図２はその穂先竿を主体とする領域の拡大図（方向は左右逆）、図３は図２の第１種移動外ガイドＧ１の装着固定位置における拡大横断面図と分解図、図４は図３（Ｃ）の部分拡大図である。釣竿は穂先竿１０、穂持竿１２、第１中竿１４、第２中竿１６、元竿１８を振出式に継ぎ合せたものであり、各竿管はエポキシ樹脂等の合成樹脂を炭素繊維等の強化繊維で強化した繊維強化樹脂製である。
【０００９】
各竿管１０，１２，１４，１６，１８の先端部には、固定の外ガイドＧＴ，ＫＧ，ＫＧ，ＫＧ，ＫＧが装着されており、その他の外ガイドは移動可能な移動外ガイドである。穂先竿１０には固定のトップガイドＧＴの直後から３個の第１種移動外ガイドＧ１が装着され、その直後には１個の第２種移動外ガイドＧ２が装着されている。穂持竿１２には固定ガイドＫＧの直後に、２個の第２種移動外ガイドＧ２が装着されている。中竿１４，１６には夫々１個の他の種類（第３種）の移動外ガイドＧ３が装着されている。従って、固定外ガイドを除く移動外ガイドとしては、先部から第１種、第２種、第３種の順に並んでいる。
【００１０】
上記第１種と第２種の移動外ガイドを装着固定させる受座Ｚ１，Ｚ２は、竿管素材を加熱成形する際に一緒に、繊維強化樹脂プリプレグ片を巻回して加圧焼成し、竿管と一体に積層した受座環状層素材を形成し、これを高い精度の円形外周に研削して受座環状層と成した後、後述のようにして凹条溝を研削し、結果的に筒状肉盛層（凹凸条の基盤層）の表面に凹凸条を設けた形態となる。この受座環状層素材の強化繊維としては、弾性率が５ｔ／ｍｍ２（４９０００Ｎ／ｍｍ２）以下、例えば、１ｔ／ｍｍ２（９８００Ｎ／ｍｍ２）の炭素繊維が好ましい。例えば、炭素繊維を一方向に引き揃えた強化繊維にエポキシ樹脂を含浸した一方向引揃シートを使用する。その炭素繊維の指向方向は竿管の長手方向とし、低弾性率の強化繊維を用いたプリプレグを使用して竿管の剛性アップを押えると共に、長手方向繊維により、強度、耐久性の向上を図ることが可能となる。また、外ガイドＧ１，Ｇ２の各装着筒部Ｇ１Ｔ，Ｇ２Ｔの長さよりも、夫々の受座Ｚ１，Ｚ２の長さの方が長い。
【００１１】
第１種移動外ガイドＧ１の装着筒部Ｇ１Ｔ内側には、内周に凸条ＴＴと凹条ＴＫとが全周に亘って等ピッチで設けられ、ナイロン、ＡＢＳ樹脂、ポリアセタール樹脂（ＰＯＭ樹脂）、ポリカーボネイト等の合成樹脂製の環状体Ｇ１Ｔ’が固定保持されている。即ち、装着筒部内周には、合成樹脂によるＮ個の凸条ＴＴと凹条ＴＫが等ピッチで設けられている。この場合、Ｎ個は２０個であり、これに対応する竿管側の受座Ｚ１は、前記凹条ＴＫに侵入係合できる凸条ＺＴを周方向に等ピッチでＭ個有している。この場合、Ｍ個は１０個であり、Ｎ個（２０個）の１／２である。また、各凸条ＺＴ間は凹条ＺＫとなっている。受座側凸条ＺＴの頂部は竿管１０と同心状の円弧面（概ね平面）であり、凸条ＺＴの横断面形状は概ね台形状である。一方、凸条ＴＴの横断面形状は頂部の丸められた概ね三角形状である。
【００１２】
或る凹条ＴＫ１に凸条ＺＴが侵入係合した装着固定状態が図４に描かれているが、凸条ＺＴの両側面は、凹条ＴＫ１を区画形成する両側の凸条ＴＴ１及び凸条ＴＴ２と夫々対面する側の側面と押圧状態になっている。この場合、凸条ＴＴ２と凸条ＴＴ３との間の凹条ＴＫ２には、受座側凸条ＺＴが対応位置していないため、凸条ＴＴ２は隣の凸条ＴＴ３の方向に寄るように変形が可能である。凸条ＴＴ１も同様である。従って、受座側凸条ＺＴは隣接した２つの凸条ＴＴ１，ＴＴ２の側面で挟持されるため、しっかりと保持固定される。この場合、各側の凸条の頂部は、相手側凹条の底に当接してもしなくてもよい。この例では当接していない。
【００１３】
上記図４の状態は装着固定状態の図であるが、既述の如く、受座は移動外ガイドの装着筒部よりも長く、その前方部は後方部よりも小径に形成している。従って、移動外ガイドＧ１を前方から後方に移動させ、まず、その小径前方部に容易に挿入でき、後方に移動させて相対的に大径の後方部に来ると、上述した様に、受座側凸条ＺＴは隣接した２つの凸条ＴＴ１，ＴＴ２の側面で挟持されるようになるため、しっかりと保持固定する力が生じる。これにより、穂先竿が大きな撓みを繰り返しても、移動外ガイドは緩み難い。また、受座側凸条とこれを挟む位置の２つの筒部側凸条とが互いに側面を当接させる構造のため、周方向への不用意な回動が防止でき、安定する。
【００１４】
上記受座の前方部を後方部よりも小径にする形態としては、受座の前端から後方に向かって漸次大径化させ、途中でほぼ一定の外径部を設ける形態や、前端（近く）から途中位置まで小径の一定外径とし、その後、後方に漸次拡径させ、再び外径をほぼ一定の大径外径部を設ける等である。
【００１５】
図５は図２の第２種移動外ガイドＧ２の装着固定位置における拡大横断面図と分解図、図６は図５（Ｃ）の部分拡大図である。第２種移動外ガイドＧ２の装着筒部Ｇ２Ｔ内側には、内周に凸条ＴＴと凹条ＴＫとが全周に亘って等ピッチで設けられ、ナイロン、ＡＢＳ樹脂、ポリアセタール樹脂（ＰＯＭ樹脂）、ポリカーボネイト等の合成樹脂製やその他製の環状体Ｇ２Ｔ’が固定保持されている。即ち、装着筒部内周には、Ｋ個の凸条ＴＴと凹条ＴＫが等ピッチで設けられている。この場合、Ｋ個は８個であり、これに対応する竿管側の受座Ｚ２は凸条ＺＴを周方向に等ピッチでＬ個有している。この場合、Ｌ個は１６個であり、Ｋ個（８個）はＬ個（１６）の１／２である。また、各凸条ＺＴ間は凹条ＺＫとなっている。
【００１６】
図６に示すように、装着固定位置では、受座側凸条ＺＴの頂部は筒部側凹条ＴＫの底面に当接し、筒部側凸条ＴＴの頂部は受座側凹条ＺＫの底面に当接している。これは、製造の寸法精度上、底面と頂部の間に仮りに僅かな隙間があっても、外ガイドを移動装着させる力によって少なくとも一側の凸条が圧縮され、僅かな隙間程度は吸収できるからである。しかし、全体の製造精度によって、全周の凸条が相手側凹条の底面に全て当接しているとは限らず、本願は当接しないものがある場合も許容する。受座側凸条ＺＴの頂部は竿管１０，１２と同心状の円弧面（概ね平面）であり、凸条ＺＴの横断面形状は概ね台形状である。筒部側凸条ＴＴは、筒部Ｇ２Ｔ（又は環状体Ｇ２Ｔ’）と同心状の円弧面か平面状であり、凸条ＴＴの横断面形状は概ね台形状である。受座側凹条ＺＫ底面は平面状か竿管１０，１２と同心状の円弧面であり、筒部側凹条ＴＫは筒部Ｇ２Ｔ（又は環状体Ｇ２Ｔ’）と同心状の円弧面か平面状である。
【００１７】
受座側凸条ＺＴの頂部は筒部側凹条ＴＫの底面に当接しているが、受座側の凹凸条の数Ｌ個は１６個であり、筒部側の凹凸条の数Ｋ個は８個であるため、筒部側凸条ＴＴは受座側凹条ＺＫの２個の内の１個に対して、というように交互に当接しているに過ぎない。この分、圧接による固着力を低減し、固着防止につながる。即ち、この第２種の移動外ガイドＧ２は、釣竿の最も先部の移動外ガイドとして使用するのではなく、既述の第１種移動外ガイドＧ１を１個又は２個以上（この例では３個）先方部に使用し、その後ろ領域に、この第２種移動外ガイドＧ２を使用する。従って、第１種のものよりは装着位置の竿管外径が大きく、通常は５ｍｍ程度以上の外径の受座領域において固着防止の必要性が高まり、その効果が高くなる。
【００１８】
しかも、この例での凸条ＴＴの頂面と側面との交点位置の接線（接平面）と、竿管の径方向ラインの成す角度θは４５度である。また、凸条ＺＴの頂面と側面との交点位置の接線（接平面）と、竿管の径方向ラインの成す角度Θは４５度である。従って、移動外ガイドＧ２を回転させる力が作用しても、受座側凸条の側面を乗り越えられない。このため、移動外ガイドＧ２の不用意な回動が防止できる。上記各角度θ、Θの範囲としては、夫々、５０度〜１０度である。好ましくは、約４５度〜１０度である。
【００１９】
既述の如く、受座Ｚ２は移動外ガイドの装着筒部よりも長く、その前方部は後方部よりも小径に形成している。従って、移動外ガイドＧ２を前方から後方に移動させ、まず、その小径前方部に容易に挿入でき、後方に移動させて相対的に大径の後方部に来て固定状態になる。受座の前方部を後方部より小径にする形態としては、既述の第１種の場合と同様である。
【００２０】
図７は第２種移動外ガイドの変形例を示す図であり、装着固定された状態の部分拡大横断面図である。図５と図６で説明したものと異なるのは、凹凸条の数の大小関係のみであり、その他に関しては、先の各説明と同様である。即ち、受座Ｚ２側の各凸条と凹条の数は８個であり、筒部側（環状体Ｇ２Ｔ’側）の各凸条と凹条の数は１６個である。この場合も、図５と図６で説明した形態と同様な作用効果を奏する。
【００２１】
筒部側の凹凸条はブローチ加工によって形成できる。一方、受座側の凹凸条は、図８のようにして受座環状層を研削加工する。即ち、精度の高い円形に加工された受座環状層の表面に、竿管１０，１２の長手方向に延伸した凹条溝を円周方向に所定ピッチで研削し、結果的に凸条をも形成する。この凹条溝を研削加工する際に、受座環状層表面の後端部近くの筒状部ＥをチャックＴＫによって保持し、竿管を水平方向に保持し、この保持状態のまま、図９に図示する工具（フライス）ＴＬを回転させつつ、この場合は受座環状層の上面側に、長手方向に指向した凹条溝を研削する。勿論、前方部が小径で後方部が大径に形成された受座環状層表面に沿って研削する。この加工の際に、竿管が撓まないように、受座環状層の下面側を受けるための受け具ＵＫを設けてもよい。次ぎに、受座環状層をチャックＴＫで保持したまま、所定ピッチ回転させて隣接した溝を同様に研削加工する。以後はこれを繰り返す。これにより、受座Ｚ１，Ｚ２が形成される。
【００２２】
上記のチャックＴＫを回転させる代わりに、チャックの保持を弛めて、他の手段で竿管を所定ピッチ角度回転させ、その状態で再び同じ筒状部Ｅを保持して工具ＴＬで溝加工してもよい。何れにしても、チャックで保持するのは受座環状層の外周面の一部である前記筒状部Ｅであり、竿管自体の外周面ではない。このように、精度の高い断面円形に研削加工されている受座環状層の外周面の一部を保持し、この外周面に工具ＴＬで所定深さの溝を加工する。
【００２３】
この加工方法において、溝加工の対象物である受座環状層を（竿管と共に）回転させても、該受座環状層の外周面は精度の高い円形であるため、最初に設定した前記工具ＴＬの切り込み深さは、任意の角度回転させた後の、工具が受座環状層と対面する外周面の各部位においても、計測等の設定をやり直すことなく、そのまま適用しても、最初と同じ切り込み深さになる。即ち、溝加工の間、常に精度の高い受座環状層の円形外周面を保持するため、回転角度に拘わらず工具ＴＬによる溝の深さを常に一定とすることができる。
【００２４】
上記例で使用した工具ＴＬは図９の（ｂ）に側面視を図示しており、回転軸ＪＫの先部に刃具ＨＡを装着し、回転軸先端の固定部ＫＢで刃具ＨＡを固定している。（ａ）は正面図である。上記凹条溝の形状は、この刃具ＨＡの断面形状によって定まる。
【００２５】
図８の場合と異なって、受座環状層の全長に凹凸条を設けてもよい。この場合、チャックは、受座環状層を上下や左右から挟むように保持し、チャックの外方側に、受座環状層の外周面が露出するように開放部を設ける必要がある。この開放部に露出した受座環状層の外周面に対して切り込み量を設定し、道具の刃具を当接させて外周面の全長に亘り、長手方向の凹条溝を形成する。
【００２６】
一本の溝の加工後は、チャック毎に回転させたり、又はチャックを弛めて、所定角度回転させて、再びチャックで受座環状層を保持して他の溝を加工し、以後これを繰り返す。従って、全周に亘って溝加工する場合は、加工した凹凸条部を保持することもある。この加工装置は、一般のフライス盤で代用できる。この方法の場合も、図８で説明した凹凸条形成方法と同様に円形の受座環状層外周（場合により、円形の受座環状層外周の残存した凹凸条の凸条表面）を基準にしており、各溝の深さを一定にすることが容易である。
【産業上の利用可能性】
【００２７】
本発明は、移動外ガイドを設けた振出式釣竿、具体的には、例えば、振出式の石鯛釣り用の竿に利用できる。
【図面の簡単な説明】
【００２８】
【図１】図１は、本発明に係る移動外ガイド付き釣竿の側面図である。
【図２】図２は、図１の穂先竿を主体とする領域の拡大図である。
【図３】図３は、図２の第１種移動外ガイドの装着固定位置における拡大横断面図と分解図である。
【図４】図４は、図３（Ｃ）の部分拡大図である。
【図５】図５は、図２の第２種移動外ガイドの装着固定位置における拡大横断面図と分解図である。
【図６】図６は、図５（Ｃ）の部分拡大図である。
【図７】図７は、第２種移動外ガイドの変形例を示す図であり、装着固定された状態の部分拡大横断面図である。
【図８】図８は、受座の形成方法説明図である。
【図９】図９は、図８の一道具の図である。
【符号の説明】
【００２９】
Ｇ１                    第１種移動外ガイド
Ｇ１Ｔ                  装着筒部
Ｇ２                    第２種移動外ガイド
Ｇ２Ｔ                  装着筒部
ＴＫ                    筒部側凹条
ＴＴ                    筒部側凸条
Ｚ１                    受座
Ｚ２                    受座
ＺＫ                    受座側凹条
ＺＴ                    受座側凸条
【図１】
2006094738.tif 000003
【図２】
2006094738.tif 000004
【図３】
2006094738.tif 000005
【図４】
2006094738.tif 000006
【図５】
2006094738.tif 000007
【図６】
2006094738.tif 000008
【図７】
2006094738.tif 000009
【図８】
2006094738.tif 000010
【図９】
2006094738.tif 000011